(57)【要約】      （修正有）【課題】食事の自覚・認識の困難な被介護者に食事を与える場合に便利なる、介護用の与食器を提供する。【解決手段】その下部を開放し上部に注ぎ口４を有する中空の与食器本体２を設け、与食器本体内をスライド可能な押圧部５を有する押圧体を設け、以上の与食器本体と押圧体との組み合わせよりなる与食器本体に食品を入れ、注ぎ口を被介護者の口中に入れて与えることによって、食品を連続的に与えることができ、与食量の把握も容易になる。【選択図】      図７
2006158923.tif 000002
【特許請求の範囲】
【請求項１】
その下部を開放し上部に注ぎ口を有する中空の与食器本体を設け、与食器本体内をスライド可能な押圧部を有する押圧体を設け、以上の与食器本体と押圧体との組み合わせよりなることを特徴とする介護用与食器。
【発明の詳細な説明】
【技術分野】
【０００１】  この発明は、介護時において介護者が被介護者に食事をさせるときに使用する与食器に関する。
【背景技術】
【０００２】  従来より、一人で食事することが困難な被介護者に食事をさせるときは、スプーンや箸などを用いて介護者が食事させることが大半であり、本発明にて示すように押し出し型の与食器は見当たらない。
【発明の開示】
【発明が解決しようとする課題】
【０００３】  要介護の人が食事をするとき、一人で食事ができない場合は介護者の手助けが必要となる。一般的には介護者が食品を箸やスプーンなどで取り分けて被介護者の口元へ運んで食べさせている。しかし、被介護者の状態によっては、自分が食事をするという認識に乏しく、介護者が被介護者の口を強制的に開けて食品を口の中に入れるという作業が必要となる。介護用の食器やスプーンなど種々の商品が利用されているが、上記のような被介護者に対して使用するとき、食品を口元に運ぶたびに口を開けさせなければならず、使用に便利なものとはいえなかった。
本発明は、以上のような従来からの介護用物品に関わる課題を解決するために発明されたもので、一度口を開けさせた後に、連続的に食品を与えることのできる新規かつ有用なる物品を提供することを目的としたものである。
【課題を解決するための手段】
【０００４】  課題を解決する手段として本発明は、中空の与食器本体と、押圧部を有する押圧体とを組み合わせてその主要部を構成した。
すなわち、その下部を開放し上部に注ぎ口を有する中空の与食器本体を設け、与食器本体内をスライド可能な押圧部を有する押圧体を設け、以上の与食器本体と押圧体とを組み合わせる。本発明は以上の構成よりなる介護用与食器である。
【発明の効果】
【０００５】  本発明によれば、中空の与食器本体内に食品を入れ、押圧体のスライドにて注ぎ口より食品を押し出すことができるため、注ぎ口を被介護者の口中に入れて食品を与えることができるので、食品を連続的に与えることのできる有用なる介護用の物品を提供することができる。また、与食器本体に目盛を設けることで与食量の把握も容易となる。
【発明を実施するための最良の形態】
【０００６】  以下、本発明の実施形態について説明する。
図において、１は適度な剛性を有する透明合成樹脂製の与食器本体である。この与食器本体は所定長の筒体よりなる胴部２の上部に中空円錐台形状の傾斜部３が位置し、この傾斜部の上部に中空の注ぎ口４が位置している。この注ぎ口の下部は円形であるがその上部の開口部分は楕円形であり、下部から上部に向けて連続的に形状が変化している。
５は下部傾斜部で、与食器本体下部に位置し、下向きに広がる傾斜面を有している。
６は目盛で、与食器本体胴部側面に設けられる。以上の注ぎ口、傾斜部、胴部、下部傾斜部は一体に形成される。
７は押圧体である。この押圧体は円板８の中央上面に円柱を固着し、円柱上面に、その上部を円錐台形状に形成した押圧部９を固着して形成される。押圧部最大径は与食器の胴部内径よりわずかに小さく、また押圧部側面の傾斜角は傾斜部３の傾斜角と同一である。
従って、図７に示すように胴部内に押圧体を位置させ、この押圧体をスライドさせることが可能である。【０００７】  本発明を使用するには、まず与食器本体内に流動性の食品、例えばおかゆ、おもゆ、プリン、ゼリー、ジュース類、ヨーグルトなどを適量入れる。
次ぎに、押圧部を与食器本体下部にあてがい、少しスライドさせて図７の状態とする。
そして、食事を与えようとする被介護者の口を開け、胴部を片方の手に持って注ぎ口を口中に入れ、押圧体の円板８を他の手でつまむか手の平を当てて押圧する。
この押圧にて押圧体の押圧部は与食器の胴部内をスライドし、このスライドにて注ぎ口から食品が押し出されて被介護者は食することとなる。前記のように、押圧部の傾斜角は傾斜部の傾斜角と同一であるため、図６にて示すように充填した食品のほとんどを押し出すことができる。また胴部側面には目盛が設けられているので、押圧部のスライド初期の目盛とスライド終期の目盛とを読み取ることにより、与食量を容易に知ることができる。
さらに、本例では注ぎ口端を楕円形としているので口中に入れやすい。
与食器本体と押圧体は分離可能なため、使用後の洗浄にも都合がよい。与食器本体下部には下部傾斜部が位置しており、押圧部を胴部に挿入しやすく、使用後の洗浄の後など与食器を立てておくのに便利である。あるいは使用途中もしくは使用後に一時的に立てておくときは、押圧体下部には大径の円板があるため、倒れにくくなる。【０００８】  図８〜図１１は実施の他例を示すものである。
図において、１０はキャップで、上部を中空半球状とし、その下方を筒状となるよう薄合成樹脂にて一体成形したもので、その下端近傍内面には小半球状の凸部１１が四等配に一体形成される。また、与食器本体の胴部上縁近傍側面には環状溝１２が刻設される。
このキャップは注ぎ口が不潔にならないよう保護するためのもので、使用については図１１にて示すように胴部上方からキャップを押しこみ、凸部を環状溝内に位置させてキャップを係止させるものである。環状溝幅と凸部径は近似であり、これらの構成材質の少しの弾力を利用して、キャップの係止および係止解除が可能である。
図１２〜図１３は、応用的実施形態を示すもので、与食器本体の胴部側面に、軟質合成樹脂による細幅のベルト１３を対称に固着したもので、介護者が与食器を手に持つときに指を胴部とベルト間に入れることで、作業時に不意に与食器が手から離れて落下することを防止するものである。左手で持つときは、図１３の左方のベルトと胴部間に親指を入れ、他のベルト間には他の指を入れて安定保持することができる。【０００９】  本発明について以上説明したが、本発明は食品を注ぎ口から押し出して与えることにより、連続的に食品を与えることができ、かつその量の把握も容易なところにその特徴がある。既述のように、スプーンや箸などを用いる従来手段では食品を口元へ運ぶたびに被介護者の口を開けさせねばならず不便だったが、本発明によりそれが解消されるのである。
なお、与食器本体を透明とし、押圧体を着色することにより、押圧部の位置確認が容易となり、与食量を把握しやすくなる。また、必要に応じて注ぎ口に軟質合成樹脂による短長のストローを取り付けて使用してもよい。
以上のごとく、本発明にて被介護者への与食およびその量把握に便利なる物品を得ることができる。
【図面の簡単な説明】
【００１０】
【図１】  本発明の与食器本体の平面図
【図２】  本発明の与食器本体の正面図
【図３】  本発明の押圧体の平面図
【図４】  本発明の押圧体の正面図
【図５】  Ａ−Ａ断面図
【図６】  本発明の使用時における押圧体位置説明図（与食終期）
【図７】  本発明の使用時における押圧体位置説明図（与食初期）
【図８】  本発明のキャップの拡大構造説明図
【図９】  本発明のキャップの拡大構造説明図（底面視）
【図１０】  本発明の他例における要部拡大図
【図１１】  本発明の他例におけるキャップ使用説明図
【図１２】  本発明の他例における与食器本体の平面図
【図１３】  本発明の他例における与食器本体の正面図
【符号の説明】
【００１１】  １  与食器本体
２  胴部
３  傾斜部
４  注ぎ口
５  下部傾斜部
６  目盛
７  押圧体
８  円板
９  押圧部
１０キャップ
１１凸部
１２環状溝
１３ベルト
【図１】
2006158923.tif 000003
【図２】
2006158923.tif 000004
【図３】
2006158923.tif 000005
【図４】
2006158923.tif 000006
【図５】
2006158923.tif 000007
【図６】
2006158923.tif 000008
【図７】
2006158923.tif 000009
【図８】
2006158923.tif 000010
【図９】
2006158923.tif 000011
【図１０】
2006158923.tif 000012
【図１１】
2006158923.tif 000013
【図１２】
2006158923.tif 000014
【図１３】
2006158923.tif 000015